(57)【特許請求の範囲】
【請求項１】
電線ケーブルの入線工事に使用する開口した矩形状の周壁を有する中継箱又はプルボックスやラックおよびダクト等のエッジ部で入線工事における電線ケーブルの被覆が損傷することを防ぐ為の電線ケーブル被覆保護用具において、摩擦抵抗の少ない可撓性の合成樹脂材でできた断面C字状の保護部材をこのエッジ部に装着し、断面C字状でその開口において離間した一対の突き出し片を有する固定金物を前記保護部材に被せて、固定金物の一方の突き出し片にボルトを螺入しこのボルト先端と他方の突き出し片とで中継箱又はプルボックスやラックおよびダクト等の周壁に締め付ることにより、固定金物を介して保護部材を固定し、角やバリのあるエッジ部から電線ケーブルの被覆を保護することを特徴とする電線ケーブル被覆保護用具。
【発明の詳細な説明】
【技術分野】
【０００１】
本発明は、電線ケーブルの入線工事に使用する中継箱又はプルボックスやラックおよびダクト等のエッジ部で入線工事における電線ケーブルの被覆が損傷することを防ぐ為の電線ケーブル被覆保護用具に関する。
【背景技術】
【０００２】
従来の電線ケーブルの入線工事に使用する中継箱又はプルボックスやラックおよびダクト等の入線工事において中継箱又はプルボックスやラックおよびダクト等のエッジで電線ケーブルの被覆を傷つけない為に、特にエッジ部が金属であるとこの被覆が損傷しやすいので、このエッジ部にウエスや保護管を用いてエッジ部に接触しない工夫をそれぞれの作業者が行なつてきた。その際、電線ケーブルの入線工事に使用する中継箱又はプルボックスやラックおよびダクト等は高所に設置されている事が多いので、その高所作業で転落事故も多々発生している。
【０００３】
又、エッジ部にウエスや保護管を針金などで仮止めするか人の手で支えるか押さえるので、入線作業の都度にウエスや保護管を仮止めする手間や入線作業中に作業者の労力が必要で、仮止めが外れないかの監視や手で押さえる作業が発生していた。
【０００４】
例えば、特許文献１では、配管口に合わせるリングを多種類準備してプルボックス内の本体のローラにケーブルを乗せて滑らすような状態で電気用プルボックスからのケーブルを引き出す提案がされており、特許文献２では、平坦面に載置される基台と前記基台に所定角度で先端部を基台前面より突出させて設けられるアーム部と前記アーム部の先端部間に配線材の引っ張り方向に回動自在に設けられるローラと、前記基台の前方において基台の下面位置より下方に垂下して配線用パイプの内面に係合する係合片とを具備して、電線ケーブルの外被の摩耗を極力抑えると共に、引っ張る際の抵抗を小さくして作業効率を向上させる配線材敷設用ローラ装置に提案がされている。
【０００５】
【特許文献１】特開平１１−２３４８３１号公報
【特許文献２】登録実用新案第３０００２３４号公報
【発明の開示】
【発明が解決しようとする課題】
【０００６】
特許文献１のローラは配管口に合わせるリングも多種類準備して置く必要もあるし入線作業が終わった時に配管口に取り付けたリングを取り外す作業も発生する。
【０００７】
又、特許文献２では、平坦面に載置される基台と前記基台に所定角度で先端部を基台前面より突出させて設けられるアーム部と前記アーム部の先端部間に配線材の引っ張り方向に回動自在に設けられるローラと、前記基台の前方において基台の下面位置より下方に垂下して配線用パイプの内面に係合する係合片とを具備して構成されており、例えばローラの幅がケーブルの直径より大きい幅が必要であり、その幅のローラを支える為の基台も当然大きくなるなど大掛かりな容積となる。
【０００８】
従って、特許文献１および特許文献２の提案ではプルボックスへの入線作業での電線ケーブルの被覆への傷の防止と入線作業時の作業効率を向上させる為に、ローラの本体もしくは装置を用いており、構造が大掛かりとなり、入線作業終了後にローラの本体もしくは装置をプルボックから取り外す作業が煩雑である。又、複数の電線ケーブルが混在する事が多々あるプルボックスで初めのころはプルボックス内も空間があるが、入線本数が増えるにつれて空間が少なくなってくる。その中で本体もしくは装置を取り付け、取り外し等の移動は難しくなるという問題がある。
【０００９】
本発明は、上記問題点を解消し、電線ケーブルの入線工事に使用する中継箱又はプルボックスやラックおよびダクト等のエッジ部で、電線ケーブルの被覆が損傷を受ける入線作業や入線工事に際して、電線ケーブルの被覆を保護する為の用具の取り付け、取り外し等が簡単にできる電線ケーブル被覆保護用具を提供することを目的とする。
【課題を解決するための手段】
【００１０】
本発明は、電線ケーブルの入線工事に使用する中継箱又はプルボックスやラックおよびダクト等のエッジ部で入線工事における電線ケーブルの被覆が損傷することを防ぐ為の電線ケーブル被覆保護用具において、摩擦抵抗の少ない可撓性の合成樹脂材でできた断面C字状の保護部材をこのエッジ部に被せる様に装着し、保護部材を断面C字状の固定金物を介してボルトで締め付け固定して角やバリのあるエッジ部から電線ケーブルの被覆を保護することを特徴とする。
【発明の効果】
【００１１】
電線ケーブルの入線工事に使用する中継箱又はプルボックス１やラックおよびダクト等のエッジ部で入線工事における電線ケーブル７の被覆が損傷することを防ぐ為の電線ケーブル被覆保護用具において、摩擦抵抗の少ない可撓性の合成樹脂材でできた断面C字状の開口部の有る保護部材３をこのエッジ部２に装着し、保護部材３を断面C字状の開口部の有る固定金物４を介してボルト５で締め付け固定して角やバリのあるエッジ部２から電線ケーブル７の被覆を保護するので、電線ケーブル被覆保護用具の取り付け、取り外し等が簡単にできる。すなわち、強電、弱電、光ケーブル等の入線作業において、絶縁不良や断線事故が起こらず、電線ケーブル被覆に傷つける事無く、かつ保護部材３は表面が摩擦抵抗の少ない可撓性の合成樹脂材で出来ており牽引力が軽減され、又従来危険性の高かった高所作業も安全に短時間で完了する。
【発明を実施するための最良の形態】
【００１２】
以下、電線ケーブルの入線工事に使用する中継箱又はプルボックスやラックおよびダクト等をプルボックスの例として実施の形態を図１から図３に基づいて説明する。
【００１３】
プルボックス１は一端が開口した鉄材やステンレス材で出来た矩形状の周壁を有するプルボックスである。プルボックス１の開口端にある縁８のエッジ部２に、断面C字状の開口部が有り表面が摩擦抵抗の少ない可撓性の合成樹脂材で出来た保護部材３に断面C字状の開口部の有る固定金物４を用いて、蝶ボルトを例とするボルト５で被せる形で固定してある。この場合、図2に示すように、固定金物４は断面C字状でその開口において離間した一対の突き出し片４Ａ、４Ｂを有し、固定金物４を保護部材３に被せて固定金物４の一方の突き出し片４Ｂに蝶ボルト５を螺入しこの蝶ボルト５の先端と固定金物４Ａとでプルボックス１の周壁に締め付けことにより保護部材３がプルボックス１の開口端にある縁８に固定される。プルボックス１に形成した配管口６から保護部材３を介して電線ケーブル７を引き出す。保護部材３は摩擦抵抗の少ない可撓性の合成樹脂材で出来ている為、電線ケーブル７の引き出しや押し込む労力が軽減される。
固定金物４と蝶ボルト５を使用して保護部材３をエッジ部２に被せる様にはめるので、エッジ部２で電線ケーブル７の被覆に傷が入り絶縁不良とならないようにしている。
なお、このプルボックス１は中継箱でもよい。
【００１４】
配管口６はプルボックス１の底面や側壁に形成して配管口６が複数存在しても電線ケーブル７の入線作業ごとに取り付け、取り外し等の労力が軽減される、もし保護部材３を長くし固定状態が不安であれば、固定金物４を中間にも追加出来るように固定金物４は表面処理を施し電線ケーブル７の被覆が擦れる状況に成っていても傷付く事無く入線作業が出来る。すなわち、プルボックス１の底面や側壁の縁８のエッジ部２に電線ケーブル７が接触するであろうと思われる縁８にL型に曲げて取り付けも出来る様に保護部材３が可撓性のある合成樹脂材で出来ているのが特徴である。
【００１５】
断面C字状の開口部の有る保護部材３は従来使用していたウエスや保護管の替わりになり、断面C字状の開口部の有る固定金物４と蝶ボルト５が従来使用していた針金や結束紐の替わりになり、固定金物４と蝶ボルト５は再利用が出来る。この場合、保護部材３のみ使用頻度によって磨耗すれば、簡単に取り替え出来る。
【００１６】
なお、本発明の電線ケーブル被覆保護用具は上記のように断面C字状の開口部が有る保護部材３と断面C字状の開口部が有る固定金物４と蝶ボルト５で構成されているので、複数の電線ケーブル７を複数の配管口６やパイプに入線作業を実施する時でも、１回路の電線ケーブル７ごとに取り付け、取り外し等の作業は無く、複数の電線ケーブル７がプルボックス１を経由して入線作業が実施された後にすべての電線ケーブル７がプルボックス１に収納され、蓋が出来る状態に成って初めて電線ケーブル被覆保護用具を取り外す作業が発生する。
【００１７】
上記のように、プルボックス１の縁８の角やバリのあるエッジ部２に摩擦抵抗の少ない可撓性の断面C字状の開口部が有る合成樹脂材でできた保護部材３を被せるので、電線ケーブル７の入線時の牽引力が少ない力で済む。プルボックス１の設置場所は高所が多い為、電線ケーブル７の入線作業は短時間かつ安全に完了させる必要がある。電線ケーブル７を複数入線する時は電線ケーブル被覆保護用具の取り付け、取り外し等の労力は上記特許文献１や特許文献２より少なく短時間で実施出来かつ工具等も不必要で。又、複数の電線ケーブル７が混在する新設や既設のプルボックスやラック、ダクト等にも使用出来る。
【図面の簡単な説明】
【００１８】
【図１】本発明の実施例を示す電線ケーブル被覆保護用具の全体図である。
【図２】本発明の電線ケーブル被覆保護用具を取り付けた図３のＡ―Ａ断面の細部である。
【図３】本発明の電線ケーブル被覆保護用具を取り付けた前面細部である。
【符号の説明】
【００１９】
１  プルボックス
２  エッジ部
３  保護部材
４  固定金物
４Ａ：短突き出し部
４Ｂ：ボルト螺入用突き出し部
５  ボルト
６  配管口
７  電線ケーブル
８  縁
【要約】
【課題】本発明は、電線ケーブルの入線工事に使用するプルボックス等のエッジ部で入線工事における電線ケーブルの被覆が損傷することを防ぐ為の電線ケーブル被覆保護用具を提供する。
【解決する手段】本発明は、電線ケーブルの入線工事に使用する中継箱又はプルボックス１やラックおよびダクト等の電線ケーブル被覆保護用具において、摩擦抵抗の少ない可撓性の合成樹脂材でできた断面C字状の開口部が有る保護部材３を、断面C字状の開口部が有る離間した一対の突き出し片を有する固定金物４を介して蝶ボルト５で角やバリの有るこのエッジ部２に被せ、周壁で締め付ることにより強固に固定装着し、エッジ部２から電線ケーブル７の被覆を保護すると共に、入線工事に於ける労力を軽減でき、プルボックスト等は高所に設置されている事が多いので高所作業での転落事故の防止もでき、取り付け、取り外し等が簡単と言う利点が電線ケーブル被覆保護用具である。
【選択図】図１【図１】
0004184417.tif 000002
【図２】
0004184417.tif 000003
【図３】
0004184417.tif 000004